(57)【要約】【課題】トレイに載置されている印刷メディアに対する様々な印刷条件それぞれに応じた印刷処理を適切に実行することができる印刷装置、情報処理装置及びそれらの制御方法、プログラムを提供する。【解決手段】印刷基準位置、印刷範囲指定領域及び印刷メディアに関する情報を含む印刷制御情報と、前記印刷範囲指定領域に対応する画像データをＩ／Ｆ３１より受信する。ＭＰＵ３８は、その印刷制御情報に基づいて、前記画像データの印刷に係る印刷基準位置を判定する。次に、その判定結果、印刷範囲指定領域及び印刷メディアの印刷可能領域に基づいて、前記画像データの内、印刷に使用しないで読み捨てる画像データの読捨量を算出する。次に、算出された読捨量に対応する画像データを、前記画像データから読み捨てる。そして、読み捨てられていない画像データを用いて、該画像データに係る印刷を制御する。【選択図】　図３
2004090424.tif 000002
【特許請求の範囲】
【請求項１】
印刷メディアを載置するトレイを当該記録装置内部へ搬送し、前記トレイの先端あるいは後端を印刷基準位置にして、前記印刷メディアに印刷を行う印刷装置であって、
前記印刷基準位置、印刷範囲指定領域及び印刷メディアに関する情報を含む印刷制御情報と、前記印刷範囲指定領域に対応する画像データを受信する受信手段と、
前記印刷制御情報に基づいて、前記画像データの印刷に係る印刷基準位置を判定する判定手段と、
前記判定手段の判定結果、前記印刷範囲指定領域及び前記印刷メディアの印刷可能領域に基づいて、前記画像データの内、印刷に使用しないで読み捨てる画像データの読捨量を算出する算出手段と、
前記算出手段で算出された読捨量に対応する画像データを、前記画像データから読み捨てる読捨手段と、
前記読捨手段で読み捨てられていない画像データを用いて、該画像データに係る印刷を制御する制御手段と
を備えることを特徴とする印刷装置。
【請求項２】
前記印刷制御情報に含まれる印刷基準位置に関する情報は、該印刷基準位置が前記トレイの先端あるいは後端を示す情報である
ことを特徴とする請求項１に記載の印刷装置。
【請求項３】
前記算出手段は、前記判定手段で判定される印刷基準位置に基づいて、前記印刷範囲指定領域の先端と前記印刷メディアの印刷可能領域の先端との間の余白領域を前記読捨量として算出する
ことを特徴とする請求項１に記載の印刷装置。
【請求項４】
前記印刷メディアは、ディスクメディアである
ことを特徴とする請求項１に記載の印刷装置。
【請求項５】
前記受信手段は、前記印刷制御情報及び画像データを、当該印刷装置に接続されるホスト装置から受信する
ことを特徴とする請求項１に記載の印刷装置。
【請求項６】
印刷メディアを載置するトレイを当該記録装置内部へ搬送し、前記トレイの先端あるいは後端を印刷基準位置にして、前記印刷メディアに印刷を行う印刷装置で印刷させる画像データを生成する情報処理装置であって、
前記印刷基準位置、印刷範囲指定領域及び印刷メディアに関する情報を含む印刷制御情報を生成する生成手段と、
前記印刷制御情報と、前記印刷範囲指定領域に対応する画像データを前記印刷装置へ送信する送信手段と
を備えることを特徴とする情報処理装置。
【請求項７】
前記生成手段及び前記送信手段は、当該情報処理装置で動作する専用アプリケーションあるいは前記印刷装置のプリンタドライバの一機能として実現される
ことを特徴とする請求項６に記載の情報処理装置。
【請求項８】
印刷メディアを載置するトレイを当該記録装置内部へ搬送し、前記トレイの先端あるいは後端を印刷基準位置にして、前記印刷メディアに印刷を行う印刷装置の制御方法であって、
前記印刷基準位置、印刷範囲指定領域及び印刷メディアに関する情報を含む印刷制御情報と、前記印刷範囲指定領域に対応する画像データを受信する受信工程と、
前記印刷制御情報に基づいて、前記画像データの印刷に係る印刷基準位置を判定する判定工程と、
前記判定工程の判定結果、前記印刷範囲指定領域及び前記印刷メディアの印刷可能領域に基づいて、前記画像データの内、印刷に使用しないで読み捨てる画像データの読捨量を算出する算出工程と、
前記算出工程で算出された読捨量に対応する画像データを、前記画像データから読み捨てる読捨工程と、
前記読捨工程で読み捨てられていない画像データを用いて、該画像データに係る印刷を制御する制御工程と
を備えることを特徴とする印刷装置の制御方法。
【請求項９】
印刷メディアを載置するトレイを当該記録装置内部へ搬送し、前記トレイの先端あるいは後端を印刷基準位置にして、前記印刷メディアに印刷を行う印刷装置で印刷させる画像データを生成する情報処理装置の制御方法であって、
前記印刷基準位置、印刷範囲指定領域及び印刷メディアに関する情報を含む印刷制御情報を生成する生成工程と、
前記印刷制御情報と、前記印刷範囲指定領域に対応する画像データを前記印刷装置へ送信する送信工程と
を備えることを特徴とする情報処理装置の制御方法。
【請求項１０】
印刷メディアを載置するトレイを当該記録装置内部へ搬送し、前記トレイの先端あるいは後端を印刷基準位置にして、前記印刷メディアに印刷を行う印刷装置の制御を実現するプログラムであって、
前記印刷基準位置、印刷範囲指定領域及び印刷メディアに関する情報を含む印刷制御情報と、前記印刷範囲指定領域に対応する画像データを受信する受信工程のプログラムコードと、
前記印刷制御情報に基づいて、前記画像データの印刷に係る印刷基準位置を判定する判定工程のプログラムコードと、
前記判定工程の判定結果、前記印刷範囲指定領域及び前記印刷メディアの印刷可能領域に基づいて、前記画像データの内、印刷に使用しないで読み捨てる画像データの読捨量を算出する算出工程のプログラムコードと、
前記算出工程で算出された読捨量に対応する画像データを、前記画像データから読み捨てる読捨工程のプログラムコードと、
前記読捨工程で読み捨てられていない画像データを用いて、該画像データに係る印刷を制御する制御工程のプログラムコードと
を備えることを特徴とするプログラム。
【請求項１１】
印刷メディアを載置するトレイを当該記録装置内部へ搬送し、前記トレイの先端あるいは後端を印刷基準位置にして、前記印刷メディアに印刷を行う印刷装置で印刷させる画像データを生成する情報処理装置の制御を実現するプログラムであって、
前記印刷基準位置、印刷範囲指定領域及び印刷メディアに関する情報を含む印刷制御情報を生成する生成工程のプログラムコードと、
前記印刷制御情報と、前記印刷範囲指定領域に対応する画像データを前記印刷装置へ送信する送信工程のプログラムコードと
を備えることを特徴とするプログラム。
【発明の詳細な説明】
【０００１】
【発明の属する技術分野】
本発明は、印刷メディアを載置するトレイを当該記録装置内部へ搬送し、前記トレイの先端あるいは後端を印刷基準位置にして、前記印刷メディアに印刷を行う印刷装置、該印刷装置に印刷させる画像データを生成する情報処理装置及びそれらの制御方法、プログラムに関するものである。
【０００２】
【従来の技術】
従来の画像印刷装置において、ＣＤ−Ｒのようなディスクの表面に画像を印刷可能な印刷機能を有しているものがある。このような印刷機能を有する画像印刷装置では、通常、専用のディスクトレイ上に印刷対象のディスクを載置し、それを装置内の印刷位置に配置することで、そのディスクに対する印刷を実現することができる。
【０００３】
このディスクに画像を印刷するための印刷データは、例えば、その画像印刷装置に接続されているホスト装置で生成される。また、その画像印刷装置に係る印刷制御を行うホスト装置にインストールされているプリンタドライバで設定されている印刷範囲指定領域（論理的印刷範囲）２１０が、図８に示すように、ディスクトレイ２００の物理的印刷範囲と同じである場合でも、印刷範囲指定領域に相当する画像データすべてが、ディスクトレイ２００の物理的印刷範囲にすべてに渡って印刷されるのではなく、印刷対象となるディスクに対する部分（印刷可能領域２０１）の画像データのみが実際の印刷に使用されることになる。そのため、ホスト装置で生成された画像データの一部は、ディスクトレイ２００の物理的印刷範囲とプリンタドライバで設定される印刷範囲指定領域との位置関係に基づいて、読み捨てられる（印刷に使用されず、破棄される）ことになる。
【０００４】
図８の例では、印刷に不要な読み捨てる画像データの読捨量は、ディスクトレイ先端を基準にしても、ディスクトレイ後端を基準にしても、プリンタドライバで生成された文字Ａ〜Ｎからなる画像データの内、実際に印刷可能な画像データは、文字Ｅ〜Ｍの画像データであり、それ以外の文字Ａ〜Ｄ及びＮの画像データが読み捨てられる。
【０００５】
【発明が解決しようとする課題】
しかしながら、従来の画像印刷装置において、図９や図１０に示すようにプリンタドライバで設定されている印刷範囲指定領域（２２０や２３０）がディスクトレイ２００の物理的印刷範囲より長い場合が存在する。そして、図９の例において、画像データの読捨量の算出に、ディスクトレイ先端を基準にした場合は、印刷される画像データは、文字Ｅ〜Ｍの画像データであり、それ以外の文字Ａ〜Ｄ及びＮ〜Ｗの画像データは読み捨てられ、図８の場合と印刷結果が同じになる。これに対して、図１０の例において、画像データの読捨量の算出に、ディスクトレイ後端を基準にした場合は、印刷される画像データは、文字Ｎ〜Ｖの画像データであり、文字Ａ〜Ｍ及びＷの画像データが読み捨てられる。そのため、図１０の印刷結果は、図８の印刷結果と異なってしまうことになる。
【０００６】
また、ディスクトレイ先端を基準にして読捨量を算出する場合には、画像印刷装置にディスクトレイ長（ＤＩＳＣ＿ＴＲＡＹ＿ＬＥＮＧＴＨ）を固定値として記憶して置かねばならず、ディスクトレイの仕様（形状・印刷範囲など）が変更になった場合に対応できない。
【０００７】
これに対して、ディスクトレイ後端を基準にして読捨量を算出する場合には、プリントドライバから与えられるディスクトレイ長（ｄｉｓｃ＿ｔｒａｙ＿ｌｅｎｇｔｈ）を元に算出するので、ディスクトレイの仕様が変更になった場合にもプリンタドライバ側で対応可能となる。
【０００８】
以上のように、読捨量の算出にディスクトレイ先端基準、ディスクトレイ後端基準には一長一短があるが、従来の画像印刷装置では、どちらか一方にしか対応できないという課題があった。
【０００９】
本発明は上記の課題を解決するためになされたものであり、トレイに載置されている印刷メディアに対する様々な印刷条件それぞれに応じた印刷処理を適切に実行することができる印刷装置、情報処理装置及びそれらの制御方法、プログラムを提供することを目的とする。
【００１０】
【課題を解決するための手段】
上記の目的を達成するための本発明による印刷装置は以下の構成を備える。即ち、
印刷メディアを載置するトレイを当該記録装置内部へ搬送し、前記トレイの先端あるいは後端を印刷基準位置にして、前記印刷メディアに印刷を行う印刷装置であって、
前記印刷基準位置、印刷範囲指定領域及び印刷メディアに関する情報を含む印刷制御情報と、前記印刷範囲指定領域に対応する画像データを受信する受信手段と、
前記印刷制御情報に基づいて、前記画像データの印刷に係る印刷基準位置を判定する判定手段と、
前記判定手段の判定結果、前記印刷範囲指定領域及び前記印刷メディアの印刷可能領域に基づいて、前記画像データの内、印刷に使用しないで読み捨てる画像データの読捨量を算出する算出手段と、
前記算出手段で算出された読捨量に対応する画像データを、前記画像データから読み捨てる読捨手段と、
前記読捨手段で読み捨てられていない画像データを用いて、該画像データに係る印刷を制御する制御手段と
を備える。
【００１１】
また、好ましくは、前記印刷制御情報に含まれる印刷基準位置に関する情報は、該印刷基準位置が前記トレイの先端あるいは後端を示す情報である。
【００１２】
また、好ましくは、前記算出手段は、前記判定手段で判定される印刷基準位置に基づいて、前記印刷範囲指定領域の先端と前記印刷メディアの印刷可能領域の先端との間の余白領域を前記読捨量として算出する。
【００１３】
また、好ましくは、前記印刷メディアは、ディスクメディアである。
【００１４】
また、好ましくは、前記受信手段は、前記印刷制御情報及び画像データを、当該印刷装置に接続されるホスト装置から受信する。
【００１５】
上記の目的を達成するための本発明による情報処理装置は以下の構成を備える。即ち、
印刷メディアを載置するトレイを当該記録装置内部へ搬送し、前記トレイの先端あるいは後端を印刷基準位置にして、前記印刷メディアに印刷を行う印刷装置で印刷させる画像データを生成する情報処理装置であって、
前記印刷基準位置、印刷範囲指定領域及び印刷メディアに関する情報を含む印刷制御情報を生成する生成手段と、
前記印刷制御情報と、前記印刷範囲指定領域に対応する画像データを前記印刷装置へ送信する送信手段と
を備える。
【００１６】
また、好ましくは、前記生成手段及び前記送信手段は、当該情報処理装置で動作する専用アプリケーションあるいは前記印刷装置のプリンタドライバの一機能として実現される。
【００１７】
上記の目的を達成するための本発明による印刷装置の制御方法は以下の構成を備える。即ち、
印刷メディアを載置するトレイを当該記録装置内部へ搬送し、前記トレイの先端あるいは後端を印刷基準位置にして、前記印刷メディアに印刷を行う印刷装置の制御方法であって、
前記印刷基準位置、印刷範囲指定領域及び印刷メディアに関する情報を含む印刷制御情報と、前記印刷範囲指定領域に対応する画像データを受信する受信工程と、
前記印刷制御情報に基づいて、前記画像データの印刷に係る印刷基準位置を判定する判定工程と、
前記判定工程の判定結果、前記印刷範囲指定領域及び前記印刷メディアの印刷可能領域に基づいて、前記画像データの内、印刷に使用しないで読み捨てる画像データの読捨量を算出する算出工程と、
前記算出工程で算出された読捨量に対応する画像データを、前記画像データから読み捨てる読捨工程と、
前記読捨工程で読み捨てられていない画像データを用いて、該画像データに係る印刷を制御する制御工程と
を備える。
【００１８】
上記の目的を達成するための本発明による情報処理装置の制御方法は以下の構成を備える。即ち、
印刷メディアを載置するトレイを当該記録装置内部へ搬送し、前記トレイの先端あるいは後端を印刷基準位置にして、前記印刷メディアに印刷を行う印刷装置で印刷させる画像データを生成する情報処理装置の制御方法であって、
前記印刷基準位置、印刷範囲指定領域及び印刷メディアに関する情報を含む印刷制御情報を生成する生成工程と、
前記印刷制御情報と、前記印刷範囲指定領域に対応する画像データを前記印刷装置へ送信する送信工程と
を備える。
【００１９】
上記の目的を達成するための本発明によるプログラムは以下の構成を備える。即ち、
印刷メディアを載置するトレイを当該記録装置内部へ搬送し、前記トレイの先端あるいは後端を印刷基準位置にして、前記印刷メディアに印刷を行う印刷装置の制御を実現するプログラムであって、
前記印刷基準位置、印刷範囲指定領域及び印刷メディアに関する情報を含む印刷制御情報と、前記印刷範囲指定領域に対応する画像データを受信する受信工程のプログラムコードと、
前記印刷制御情報に基づいて、前記画像データの印刷に係る印刷基準位置を判定する判定工程のプログラムコードと、
前記判定工程の判定結果、前記印刷範囲指定領域及び前記印刷メディアの印刷可能領域に基づいて、前記画像データの内、印刷に使用しないで読み捨てる画像データの読捨量を算出する算出工程のプログラムコードと、
前記算出工程で算出された読捨量に対応する画像データを、前記画像データから読み捨てる読捨工程のプログラムコードと、
前記読捨工程で読み捨てられていない画像データを用いて、該画像データに係る印刷を制御する制御工程のプログラムコードと
を備える。
【００２０】
上記の目的を達成するための本発明によるプログラムは以下の構成を備える。即ち、
印刷メディアを載置するトレイを当該記録装置内部へ搬送し、前記トレイの先端あるいは後端を印刷基準位置にして、前記印刷メディアに印刷を行う印刷装置で印刷させる画像データを生成する情報処理装置の制御を実現するプログラムであって、
前記印刷基準位置、印刷範囲指定領域及び印刷メディアに関する情報を含む印刷制御情報を生成する生成工程のプログラムコードと、
前記印刷制御情報と、前記印刷範囲指定領域に対応する画像データを前記印刷装置へ送信する送信工程のプログラムコードと
を備える。
【００２１】
【発明の実施の形態】
以下、本発明の実施の形態について図面を用いて詳細に説明する。
尚、以下の実施形態で説明する、データの一部を「読み捨てる」処理とは、その一部のデータを印刷に使用しないように扱う、もしくは、その一部のデータを破棄する、といった処理を示すものである。
【００２２】
図１は本発明の実施形態に適用可能な画像印刷装置の外観を示す斜視図である。
【００２３】
尚、本実施形態の画像印刷装置としては、例えば、インクジェット方式によって印刷を行うインクジェット印刷装置（以下、印刷装置と略称する）を例として挙げるが、後述する本実施形態の各種処理を実行できるプリンタであれば、その印刷方式はどのようなものでも良い。
【００２４】
図１において、この実施形態における印刷装置の外殻をなす装置本体１０００は、下ケース１００１、上ケース１００２、アクセスカバー１００３及び排出トレイ１００４の外装部材と、その外装部材内に収納されたシャーシ１７（図２）とから構成される。シャーシ１７は、所定の剛性を有する複数の板状金属部材によって構成され、印刷装置３００の骨格をなし、後述の各印刷動作機構を保持するものとなっている。
【００２５】
また、下ケース１００１は装置本体１０００の略下半部を、上ケース１００２は装置上本体１０００の略上半部をそれぞれ形成しており、両ケースの組合せによって内部に後述の各機構を収納する収納空間を有する中空体構造をなし、その上面部及び前面部にはそれぞれ開口部が形成されている。
【００２６】
さらに、排出トレイ１００４はその一端部が下ケース１００１に回転自在に保持され、その回転によって下ケース１００１の前面部に形成される開口部１０１４を開閉させ得るようになっている。このため、印刷動作を実行させる際には、排出トレイ１００４を前面側へと回転させて開口部１０１４を開成させることにより、ここから印刷メディアが排出可能となると共に排出された印刷メディアを順次積載し得るようになっている。
【００２７】
また、排紙トレイ１００４には、２枚の補助トレイ１００４ａ、１００４ｂが収納されており、必要に応じて各トレイを手前に引き出すことにより、用紙の支持面積を３段階に拡大、縮小させ得るようになっている。
【００２８】
アクセスカバー１００３は、その一端部が上ケース１００２に回転自在に保持され、上面に形成される開口部を開閉し得るようになっており、このアクセスカバー１００３を開くことによって本体内部に収納されている記録ヘッド１あるいはインクタンク７の交換がその交換位置で可能となる。
【００２９】
尚、ここでは特に図示しないが、アクセスカバー１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００３０】
また、本実施形態では、印刷装置３００の開口部１０１４から、印刷メディアとして、様々な厚さのディスクメディア（例えば、ＣＤ−Ｒ、カートリッジ型記憶媒体（ＭＯ、ＤＶＤ−ＲＡＭ等））を載置して印刷装置３００へ搬送するためのディスクトレイと、そのディスクトレイを印刷装置３００内へ案内、支持するトレイガイドを前面から装着可能な装着機構が構成されている。
【００３１】
また、開口部１０１４付近に、ガイド検出用センサ２８（図２）を配置することで、トレイガイドの装着の有無を検出できるようになっている。
【００３２】
また、上ケース１００２の後部上面には、電源キー１８及びレジュームキー１９が押下可能に設けられると共に、ＬＥＤ２００が設けられており、電源キー１８を押下すると、ＬＥＤ２００が点灯し印刷可能であることをオペレータに知らせるものとなっている。
【００３３】
また、ＬＥＤ２００は点滅の仕方や色の変化をさせたり、ブザーをならすことにより印刷装置３００のトラブル等をオペレータに知らせる等種々の表示機能を有する。
【００３４】
尚、トラブル等が解決した場合には、レジュームキー１９を押下することによって印刷が再開されるようになっている。
【００３５】
また、表示部１７１０は、印刷装置３００の各種状態を表示する。
【００３６】
図２は本発明の実施形態の印刷装置の外装部材を取り外した状態を示す斜視図である。
【００３７】
本実施形態では、図２に示すように記録ヘッド１はこれにインクを供給するインクタンク７とともに連結され一体となってインクカートリッジ２０を構成する。
【００３８】
尚、本実施形態ではインクカートリッジ２０は記録ヘッド１とインクタンク７とが分離可能な構成となっているが、記録ヘッドとインクタンクとが一体化したインクカートリッジを用いても良い。また、インクカートリッジ２０は、Ｙ（イエロ）、Ｍ（マゼンタ）Ｃ（シアン）、Ｋ（ブラック）の４色のインクを１個のインクカートリッジに収めた構成となっている。いずれの構成にしても、このインクカートリッジは印刷装置３００に対して着脱可能、交換可能である。
【００３９】
また、インクタンク７の底面にはインク残量検出を行うための光反射面或いは光学プリズムが設けられている。
【００４０】
図２において、記録ヘッド１は図中下向きにインクを吐出する姿勢でキャリッジ２に搭載されており、キャリッジ２をガイド軸３に沿って移動させながらインク液滴を吐出して印刷用紙のような印刷メディア（不図示）上に画像を形成していく。
【００４１】
尚、キャリッジ２の左右移動（往復移動）はキャリッジモータ４の回転によりタイミングベルト５を介して行われる。キャリッジ２には係合爪６が設けられ、インクタンクの係合穴７ａと係合して、キャリッジ２にインクタンク７は固定される。
【００４２】
印刷動作としては、記録ヘッド１の１走査（ラスター）分の印刷が終了すると、印刷動作を中断し、プラテン８上に位置する印刷メディアをフィードモータ９の駆動により所定量だけ搬送し、次いで再びキャリッジ２をガイド軸３に沿って移動させながら次の１走査分の画像形成を行う。
【００４３】
装置本体の右側には記録ヘッド１のインク吐出状態を良好に保つための回復動作を行う回復部１０が配設されており、その回復部１０には記録ヘッド１をキャップするキャップ１１、記録ヘッド１のインク吐出面を拭うワイパ１２、及び記録ヘッド１のインク吐出ノズルからインクを吸引するための吸引ポンプ（不図示）等が設けられている。
【００４４】
また、印刷メディアを搬送するためのフィードモータ９の駆動力は本来の印刷メディア搬送機構に伝達される他に、自動給紙装置（ＡＳＦ）１３へも伝達される。
【００４５】
従って、印刷メディア、例えば、印刷用紙１頁分の印刷が終了するとフィードモータ９が駆動し、その印刷用紙を印刷装置３００の外に排出するとともに、次の印刷用紙に印刷が行なわれる場合にはＡＳＦ１３も駆動され、次の用紙をＡＳＦ１３に積載された印刷用紙から給紙する。
【００４６】
さらに、回復部１０の横側には赤外ＬＥＤ（発光素子）１５及びフォトトランジスタ（受光素子）１６から成るインク残量検出を行うための反射型センサを構成する光学式センサ１４が設けられている。これらの発光素子１５と受光素子１６とは印刷用紙の搬送方向（矢印Ｆの方向）に沿って並ぶように取り付けられている。
【００４７】
光学式センサ１４は、装置本体のシャーシ１７に取り付けられている。インクカートリッジ２０がキャリッジ２に搭載され、図２に示された位置より右方向へと移動すると、インクカートリッジ２０は光学式センサ１４上に位置（インク残量検出位置）するようになる。そして、インクタンク７の底面よりインクの状態を光学式センサ１４によって検出することが可能となる。
【００４８】
この光学式センサ１４からの出力はアナログ出力であり、その出力値をそのままインク残量として出力しても良いし、Ａ／Ｄ変換したデジタル値をインク残量として出力しても良い。
【００４９】
図３は本発明の実施形態の印刷装置のハードウエア構成を示す図である。
【００５０】
３８はＭＰＵであり、印刷装置３００の各種構成要素を制御する。３１はＩ／Ｆであり、ホスト装置１０等の外部装置と接続し、各種データの送受信を行う。このＩ／Ｆの形態としては、シリアルインタフェース／パラレルインタフェースのいずれも使用可能であり、例えば、シリアルインタフェースとしては、ＵＳＢインタフェースがある。また、パラレルインタフェースとしては、セントロニクスインタフェースがある。
【００５１】
３５はＲＡＭである。ＲＡＭ３５には、複数の専用記憶領域が確保され、特に、本実施形態では、受信バッファ３２、ワークバッファ３３、プリントバッファ３４が確保されている。受信バッファ３２は、ホスト装置１０から受信する印刷データ（印刷制御情報、画像データ等）を一時的に記憶する。ワークバッファ３３は、印刷装置３００で実行される処理の作業領域として機能する。プリントバッファ３４は、実際に印刷に使用する印刷画像データを記憶する。
【００５２】
３６はモータドライバであり、印刷装置３００の記録ヘッド１を駆動するためのモータや、印刷メディアを搬送するためのモータ等の各種モータをＭＰＵ３８の制御によって駆動する。３７は記録ヘッドドライバであり、記録ヘッド１をＭＰＵ３８の制御によって駆動する。
【００５３】
３９はＤＭＡであり、ＲＡＭ３５上の複数の専用記憶領域間のデータ転送を実行する。３１０はＲＯＭであり、印刷装置３００で実行される各種制御を実行するためのプログラムや、後述する各種フローチャートを実行するプログラムを記憶する。
【００５４】
３１１はＥＥＰＲＯＭであり、印刷装置３００で実行する処理に必要な各種パラメータ等のデータを記憶する。
【００５５】
３１２はセンサ群であり、印刷装置３００の各種状態を検知するものであり、上述の光学式センサ１４やガイド検出用センサ２８に加えて、例えば、記録ヘッド１の温度を検知する温度センサ、印刷メディアの有無を検知するメディア検知センサ等がある。
【００５６】
尚、ホスト装置１０は、汎用コンピュータに搭載される標準的な構成要素（例えば、ＣＰＵ、ＲＡＭ、ＲＯＭ、ハードディスク、外部記憶装置、ネットワークインタフェース、ディスプレイ、キーボード、マウス等）を有している。
【００５７】
また、ホスト装置１０は、印刷装置３００に係る各種処理を実行させるためのコマンドを印刷装置３００へ送信するコマンド送信ツールに加えて、ディスクトレイ上のディスクメディアに画像を印刷する際の印刷基準位置を設定するためのコマンド（ディスクトレイ読捨基準設定コマンド）を印刷装置３００へ送信する特殊設定コマンド印刷送信ツールを有している。ホスト装置１０は、この特殊設定コマンド印刷送信ツールによって、印刷装置３００へ特殊設定コマンドを送信することができる。
【００５８】
この特殊設定コマンド印刷送信ツールは、ホスト装置１０のＯＳ上で動作する専用アプリケーションとして実現されても良いし、印刷装置３００のプリンタドライバの一機能として実現されても良い。
【００５９】
また、このディスクトレイ読捨基準設定コマンドは、具体的には、印刷基準位置が前記トレイの先端あるいは後端を示す情報である。そして、この情報によって、ホスト装置１０から受信した画像データの内、ディスクメディアへの画像の印刷に使用しないで読み捨てる画像データの読捨量を算出することができる。つまり、このディスクトレイ読捨基準設定コマンドが示す情報は、読捨量を算出するための基準情報（ディスクトレイ読捨基準）でもあると言える。
【００６０】
以下、特殊設定コマンドであるディスクトレイ読捨基準設定コマンドを印刷装置３００がホスト装置１０から受信した場合に実行する特殊設定コマンド解析処理ついて、図４を用いて説明する。
【００６１】
図４は本発明の実施形態の印刷装置で実行される特殊設定コマンド解析処理を示すフローチャートである。
【００６２】
尚、図４で実現される処理は、印刷装置３００内部のＲＯＭ３１０に記憶されるプログラムがＭＰＵ３８によって実行されることによって実現されても良いし、専用のハードウエアで実現されても良い。また、図４以降の各フローチャートで説明する各種コマンド、フラグやパラメータは、適宜ＥＥＰＲＯＭ３１１に記憶される。また、これらの各種コマンド、フラグやパラメータは印刷装置３００の制御に関わるものであり、これらを総称して印刷制御情報と称する。
【００６３】
まず、初期化処理を実行する（ステップＳ４０）。次に、特殊設定コマンドを取得する（ステップＳ４１）。その後、コマンドの入力待ちを経て、入力コマンドがディスクトレイ読捨基準設定コマンドであるか否かを判定する（ステップＳ４２）。ディスクトレイ読捨基準設定コマンドでない場合（ステップＳ４２でＮＯ）、ステップＳ４４に進み、入力コマンドに対するコマンド処理を実行する。一方、ディスクトレイ読捨基準設定コマンドである場合（ステップＳ４２でＹＥＳ）、ステップＳ４３に進み、ディスクトレイ読捨基準設定コマンド処理を実行する。
【００６４】
このステップＳ４３のディスクトレイ読捨基準設定コマンド処理では、まず
、ディスクトレイ読捨基準設定コマンドが示すディスクトレイ読捨基準がディスクトレイ先端であるか否かを判定する（ステップＳ４３ａ）。
【００６５】
ディスクトレイ読捨基準がディスクトレイ先端である場合（ステップＳ４３ａでＹＥＳ）、ステップＳ４３ｂに進み、ディスクトレイ読捨基準先端フラグ（Ｆｌｇ＿Ｄｉｓｃ＿Ｒｅｊｅｃｔ＿Ｔｏｐ）をセットする。一方、ディスクトレイ読捨基準がディスクトレイ先端でない場合（ステップＳ４３ａでＮＯ）、つまり、ディスクトレイ読捨基準が後端である場合、ディスクトレイ読捨基準先端フラグ（Ｆｌｇ＿Ｄｉｓｃ＿Ｒｅｊｅｃｔ＿Ｔｏｐ）をリセットする。
【００６６】
尚、ディスクトレイ読捨基準先端フラグ（Ｆｌｇ＿Ｄｉｓｃ＿Ｒｅｊｅｃｔ＿Ｔｏｐ）の設定は、新たにディスクトレイ読捨基準設定コマンドをホスト装置１０から受信するか、印刷装置３００がリセットまたは、パワーオフされるまで、例えば、ＥＥＰＲＯＭ３１１で保持される。
【００６７】
次に、印刷装置３００が、ホスト装置１０から受信した画像データ及びコマンドに基づいて実行するコマンド処理について、図５を用いて説明する。
【００６８】
図５は本発明の実施形態の印刷装置で実行されるコマンド処理を示すフローチャートである。
【００６９】
尚、図５で実現される処理は、印刷装置３００内部のＲＯＭ３１０に記憶されるプログラムがＭＰＵ３８によって実行されることによって実現されても良いし、専用のハードウエアで実現されても良い。
【００７０】
まず、初期化処理を実行する（ステップＳ５０）。次に、受信バッファ３２に格納されたコマンドを取得する（ステップＳ５１）。その後、コマンドの入力待ちを経て、入力コマンドに対応する各種処理を実行する（ステップＳ５２）。
【００７１】
ステップＳ５２では、ホスト装置１０から受信するコマンドが、印刷範囲コマンド、給紙方法設定コマンド、印刷データ情報コマンド、印刷データコマンド、ラスタースキップコマンド、排紙コマンド、あるいはその他のコマンドであるか否かを判定する。
【００７２】
このステップＳ５２において、コマンドが、印刷範囲コマンド、給紙方法設定コマンドあるいは印刷データ情報コマンドである場合は、その取得タイミングが印刷開始処理前であるか否かを判定する（ステップＳ５３）。印刷開始処理後である場合（ステップＳ５３でＮＯ）、処理を終了する。一方、印刷開始処理前である場合（ステップＳ５３でＹＥＳ）、各コマンドに対応するコマンド処理を実行する。
【００７３】
一方、ステップＳ５２において、コマンドが印刷データコマンドあるいはラスタースキップコマンドである場合は、その取得タイミングが印刷開始処理前であるか否かを判定する（ステップＳ５４）。印刷開始処理前である場合（ステップＳ５４でＹＥＳ）、印刷開始処理を実行する（ステップＳ５９）。一方、印刷開始処理後である場合（ステップＳ５４でＮＯ）、各コマンドに対応するコマンド処理を実行する。
【００７４】
尚、この印刷開始処理の詳細ついては、後述する。
【００７５】
また、この各コマンドに対応するコマンド処理後は、再び、ステップＳ５１に戻る。ここで、コマンド取得・判別・処理のループは、排紙コマンドを取得した場合、排紙処理（ステップＳ５１２）を行なったのち、ループを抜ける。
【００７６】
また、上記以外のコマンドであるコマンドに対しては、そのコマンドに対するコマンド処理を適宜実行し（ステップＳ５１３）、処理を終了する。尚、この処理の詳細については、本発明とは関係ないので、その説明は省略する。
【００７７】
次に、各コマンドによるコマンド処理について説明する。
【００７８】
まず、コマンドが印刷範囲コマンドである場合は、印刷範囲コマンド処理として、印刷範囲パラメータの取得（ステップＳ５５）と、印刷メディア（印刷メディアの種類は様々あるが、ここでは、特に、ディスクメディアのトレイのみについて説明し、以後、印刷メディア＝ディスクトレイとする）サイズパラメータの取得（ステップＳ５６）を実行する。
【００７９】
ここで、本実施形態のディスクトレイの印刷可能領域と、ホスト装置１０で設定される印刷範囲指定領域の関係について、図６を用いて説明する。
【００８０】
図６は本発明の実施形態のディスクトレイの印刷可能領域とホスト装置で設定される印刷範囲指定領域の関係を説明するための図である。
【００８１】
印刷範囲指定領域および印刷メディアのサイズを規定するための各パラメータは、図６のディスクトレイ先端をｘ軸、ディスクトレイ先端に対してディスクトレイ後端を上側にした場合の最右端をｙ軸、ディスクトレイ右下端を原点とするｘｙ座標系に基づいて設定される。
【００８２】
印刷範囲指定領域を規定する印刷範囲パラメータは、図６に示す破線長方形の右下端の座標として表される。この場合、ｘ座標のパラメータ名はｐｒｉｎｔ＿ａｒｅａ＿ｘ、ｙ座標のパラメータ名はｐｒｉｎｔ＿ａｒｅａ＿ｙとし、印刷範囲指定領域の幅のパラメータ名はｐｒｉｎｔ＿ａｒｅａ＿ｗｉｄｔｈ、印刷範囲指定領域の長さのパラメータ名はｐｒｉｎｔ＿ａｒｅａ＿ｌｅｎｇｔｈとし、各パラメータに印刷装置３００の解像度単位の数値を代入して、一時的にＥＥＰＲＯＭ３１１に記憶される。
【００８３】
一方、印刷メディア（＝ディスクトレイ）のサイズを規定する印刷メディアサイズパラメータとして、原点Ｏとディスクトレイの幅のパラメータ名はＤＩＳＣ＿ＴＲＡＹ＿ＷＩＤＴＨとし、ディストレイの長さのパラメータ名はＤＩＳＣ＿ＴＲＡＹ＿ＬＥＮＧＴＨとし、各パラメータに印刷装置３００の解像度単位の数値を代入して、一時的にＥＥＰＲＯＭ３１１に記憶される。
【００８４】
また、図６において、ＤＩＳＣ＿ＴＲＡＹ＿ＲＥＪＥＣＴ＿ＴＯＰはディスクトレイ先端余白、ＤＩＳＣ＿ＴＲＡＹ＿ＲＥＪＥＣＴ＿ＢＯＴＴＯＭはディスクトレイ後端余白、ＤＩＳＣ＿ＰＲＩＮＴ＿ＬＥＮＧＴＨは実際のディスク印刷可能領域の長さ、ＤＩＳＣ＿ＰＲＩＮＴ＿ＷＩＤＴＨは実際のディスク印刷可能領域の幅、ＤＩＳＣ＿ＤＩＡＭＥＴＥＲは実際のディスク印刷可能領域の直径である。更に、ｒｅｊｅｃｔ＿ｙは、ｙ方向における読捨量である。
【００８５】
図５の説明に戻る。
【００８６】
コマンドが給紙方法設定コマンドである場合は、その給紙方法設定コマンド処理として、給紙設定パラメータを取得する（ステップＳ５７）。給紙設定パラメータ（給紙方法、印刷メディア種類、印刷方向、部数等）では、ディスクトレイの給紙設定が指定された場合、ディスクトレイ印刷フラグがセットされる。
【００８７】
また、コマンドが印刷データ情報コマンドである場合は、印刷データ情報コマンド処理として、印刷データ情報パラメータを取得する（ステップＳ５８）。
【００８８】
また、コマンドが印刷データコマンドである場合は、印刷開始処理（ステップＳ５９）後であれば、印刷データ処理を実行する（ステップＳ５１０）。印刷データコマンドは、コマンドの後にコマンド長とコマンド長分の画像データから構成されており、ステップＳ５１０では、画像データをワークバッファ３３に格納し、印刷可能な画像データが蓄えられたらプリントバッファ３４に展開し、印刷を行なう。
【００８９】
また、コマンドがラスタースキップコマンドである場合は、印刷開始処理（ステップＳ５９）後では、ラスタースキップ処理を実行する（ステップＳ５１１）。ステップ５１１では、解像度単位のラスター数のパラメータ（ラスタースキップ量ｒａｓｔｅｒ＿ｓｋｉｐ）に相当する量だけ、印刷メディアを搬送する処理を行なう。
【００９０】
但し、ステップＳ５１０及びステップＳ５１１では、後述するディスクトレイの読捨処理がある場合、読捨処理が実行される。
【００９１】
ここで、ステップＳ５９の印刷開始処理の詳細について、図７を用いて説明する。
【００９２】
図７は本発明の実施形態の印刷開始処理の詳細を示すフローチャートである。
【００９３】
尚、この印刷開始処理は、印刷範囲パラメータ、印刷メディアサイズパラメータ、給紙設定パラメータ、印刷データ情報パラメータから、印刷メディアと印刷範囲の整合性チェック、画像データを格納すべき１ラスターあたりのワークバッファ３３のサイズの計算、給紙処理などを行なうものである。
【００９４】
図７は本発明の実施形態の印刷装置で実行される印刷開始処理の詳細を示すフローチャートである。
【００９５】
まず、印刷範囲パラメータ、印刷メディアサイズパラメータ及び給紙設定パラメータから印刷範囲の整合性チェックを行う（ステップＳ５９１）。次に、給紙設定パラメータから、印刷メディアがディスクメディアであるか否かを判定する（ステップＳ５９２）。ディスクメディアでない場合（ステップＳ５９２でＮＯ）、ステップＳ５９６に進む。一方、ディスクメディアである場合（ステップＳ５９２でＹＥＳ）、ステップＳ５９３に進む。
【００９６】
次に、印刷範囲パラメータで与えられた印刷範囲指定領域とディスクトレイの印刷可能領域との間の先端余白の読捨量を算出するための基準位置を「ディスクトレイ先端」または「ディスクトレイ後端」のどちらを基準にするか判定する（ステップＳ５９３）。尚、この判定は、図４のステップＳ４３３において設定されたＦｌｇ＿Ｄｉｓｃ＿Ｒｅｊｅｃｔ＿Ｔｏｐの状態から判定する。
【００９７】
基準位置が先端基準である場合（ステップＳ５９３でＹＥＳ）、ステップＳ５９４に進み、読捨量ｒｅｊｅｃｔ＿ｙは、ディスクトレイ先端余白ＤＩＳＣ＿ＴＲＡＹ＿ＲＥＪＥＣＴ＿ＴＯＰと、印刷範囲パラメータのｐｒｉｎｔ＿ａｒｅａ＿ｙとの差（先端基準読捨量）、
ｒｅｊｅｃｔ＿ｙ　＝　ＤＩＳＣ＿ＴＲＡＹ＿ＲＥＪＥＣＴ＿ＴＯＰ　−　ｐｒｉｎｔ＿ａｒｅａ＿ｙ
から算出する。
【００９８】
一方、基準位置が後端基準である場合（ステップＳ５９３でＮＯ）、ステップＳ５９５に進み、読捨量ｒｅｊｅｃｔ＿ｙは、印刷メディアサイズパラメータのｄｉｓｃ＿ｔｒａｙ＿ｌｅｎｇｔｈと、ディスク印刷可能領域の長さＤＩＳＣ＿ＰＲＩＮＴ＿ＬＥＮＧＴＨとディスクトレイ後端余白ＤＩＳＣ＿ＴＲＡＹ＿ＲＥＪＥＣＴ＿ＢＯＴＴＯＭの和との差（後端基準読捨量）、即ち、
ｒｅｊｅｃｔ＿ｙ　＝　ｄｉｓｃ＿ｔｒａｙ＿ｌｅｎｇｔｈ　−　（ＤＩＳＣ＿ＰＲＩＮＴ＿ＬＥＮＧＴＨ　＋　ＤＩＳＣ＿ＴＲＡＹ＿ＲＥＪＥＣＴ＿ＢＯＴＴＯＭ　）
から算出する。
【００９９】
その後、ステップＳ５９４あるいはステップＳ５９５の処理結果に基づいて、印刷に必要な画像データを格納するためのワークバッファサイズの計算処理を実行する（ステップＳ５９６）。そして、給紙処理を実行する（ステップＳ５９７）。
【０１００】
図５の説明に戻る。
【０１０１】
ステップＳ５１０において、印刷データ処理では、ｒｅｊｅｃｔ＿ｙ＞０の場合、ワークバッファ３３に格納された画像データの内、１ラスター分の画像データの読捨処理を行なうごとに、読捨量ｒｅｊｅｃｔ＿ｙを減算し、ｒｅｊｅｃｔ＿ｙ　＝　０になるまで読捨処理を行なう。その後、読捨処理が完了すると、ワークバッファ３３に格納された画像データを、プリントバッファ３４に展開して、印刷を行う。
【０１０２】
一方、ステップＳ５１１において、ラスタースキップ処理では、
ｒｅｊｅｃｔ＿ｙ＞０で、かつラスタースキップ量ｒａｓｔｅｒ＿ｓｋｉｐ＞ｒｅｊｅｃｔ＿ｙの場合は、
ｒａｓｔｅｒ＿ｓｋｉｐ　＝　ｒａｓｔｅｒ＿ｓｋｉｐ　−　ｒｅｊｅｃｔ＿ｙ
とする。
【０１０３】
また、ｒｅｊｅｃｔ＿ｙ＞０で、かつラスタースキップ量ｒａｓｔｅｒ＿ｓｋｉｐ≦ｒｅｊｅｃｔ＿ｙの場合は、
ｒａｓｔｅｒ＿ｓｋｉｐ　＝０とし、また、
ｒｅｊｅｃｔ＿ｙ　＝　ｒｅｊｅｃｔ＿ｙ　−　ｒａｓｔｅｒ＿ｓｋｉｐ
として、次の印刷データ処理（ステップＳ５１０）またはラスタースキップ処理（ステップＳ５１１）の読捨処理のパラメータとして使う。
【０１０４】
以上のようにして、読捨量ｒｅｊｅｃｔ＿ｙ　＝　０になるまで読捨処理を行なう。
【０１０５】
以上説明したように、本実施形態によれば、ホスト装置１０は、印刷装置３００に対し、印刷対象の画像データの送信に加えて、ディスクトレイ上のディスクメディアにその画像データを印刷する際の印刷基準位置を設定するためのコマンド（ディスクトレイ読捨基準設定コマンド）を送信する。これにより、印刷装置３００は、ディスクトレイに印刷する際の画像データの読捨処理をディスクトレイの先端基準にするかディスクトレイの後端基準にするかを判定し、その判定された基準に対する読捨処理を実行することができる。これにより、ディスクトレイ先端基準、ディスクトレイ後端基準のどちらの設定に対しても、適切な読捨処理を実行することができる。
【０１０６】
以上、実施形態例を詳述したが、本発明は、複数の機器から構成されるシステムに適用しても良いし、また、一つの機器からなる装置に適用しても良い。
【０１０７】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【０１０８】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１０９】
その場合、プログラムの機能を有していれば、オブジェクトコード、インタプリタにより実行されるプログラム、ＯＳに供給するスクリプトデータ等、プログラムの形態を問わない。
【０１１０】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１１１】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１１２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１１３】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０１１４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【０１１５】
【発明の効果】
以上説明したように、本発明によれば、トレイに載置されている印刷メディアに対する様々な印刷条件それぞれに応じた印刷処理を適切に実行することができる印刷装置、情報処理装置及びそれらの制御方法、プログラムを提供できる。
【図面の簡単な説明】
【図１】本発明の実施形態に適用可能な画像印刷装置の外観を示す斜視図である。
【図２】本発明の実施形態の印刷装置の外装部材を取り外した状態を示す斜視図である。
【図３】本発明の実施形態の印刷装置のハードウエア構成を示す図である。
【図４】本発明の実施形態の印刷装置で実行される特殊設定コマンド解析処理を示すフローチャートである。
【図５】本発明の実施形態の印刷装置で実行されるコマンド処理を示すフローチャートである。
【図６】本発明の実施形態のディスクトレイの印刷可能領域とホスト装置で設定される印刷範囲指定領域の関係を説明するための図である。
【図７】本発明の実施形態の印刷開始処理の詳細を示すフローチャートである。
【図８】物理的印刷範囲と論理的印刷範囲の関係を説明するための図である。
【図９】物理的印刷範囲と論理的印刷範囲の関係を説明するための図である。
【図１０】物理的印刷範囲と論理的印刷範囲の関係を説明するための図である。
【符号の説明】
１０　ホスト装置
３１　Ｉ／Ｆ
３２　受信バッファ
３３　ワークバッファ
３４　プリントバッファ
３５　ＲＡＭ
３６　モータドライバ
３７　記録ヘッドドライバ
３８　ＭＰＵ
３９　ＤＭＡ
３１０　ＲＯＭ
３１１　ＥＰＰＲＯＭ
３１２　センサ群
１　記録ヘッド
【図１】
2004090424.tif 000003
【図２】
2004090424.tif 000004
【図３】
2004090424.tif 000005
【図４】
2004090424.tif 000006
【図５】
2004090424.tif 000007
【図６】
2004090424.tif 000008
【図７】
2004090424.tif 000009
【図８】
2004090424.tif 000010
【図９】
2004090424.tif 000011
【図１０】
2004090424.tif 000012